(57)【要約】【課題】ユーザが時差のある渡航先に渡航したり、当該渡航先から帰ってきたりする場合であっても、ユーザの生体リズムを好適に調整する。【解決手段】表示制御装置（１１）は、表示部（１０）に表示させる表示映像における特定の波長の強度を、対象時間帯において調整する表示制御部（１１０）と、対象時間帯を、調整対象時差及び日数を参照して、段階的に変更する対象時間帯変更部（１１００）とを備えている。【選択図】図１
2018148309.tif 000002
【特許請求の範囲】
【請求項１】
表示部に表示させる表示映像における特定の波長の強度を、対象時間帯において調整する表示制御部と、
上記対象時間帯を、調整対象時差及び日数を参照して、段階的に変更する対象時間帯変更部と
を備えていることを特徴とする表示制御装置。
【請求項２】
上記対象時間帯変更部は、１日につき、上記対象時間帯を、上記調整対象時差を上記日数で除算して得られる時間分変更することを特徴とする請求項１に記載の表示制御装置。
【請求項３】
上記表示制御部は、
渡航先に関するユーザ入力を受け付ける入力画面を表示部に表示させ、
上記入力画面を介して入力された渡航先を参照して上記調整対象時差を算出する
ことを特徴とする請求項１又は２に記載の表示制御装置。
【請求項４】
上記入力画面は、上記表示制御装置が参照する上記日数に関するユーザ入力を更に受け付ける
ことを特徴とする請求項３に記載の表示制御装置。
【請求項５】
請求項１から４の何れか１項に記載の表示制御装置と
表示部と
を備えていることを特徴とする表示装置。
【請求項６】
表示部に表示させる表示映像における特定の波長の強度を調整する対象時間帯を、調整対象時差及び日数を参照して変更する対象時間帯変更工程と、
上記対象時間帯変更工程にて変更した対象時間帯において、表示部に表示させる表示映像における特定の波長の強度を調整する表示制御工程と
を含んでいることを特徴とする表示制御方法。
【発明の詳細な説明】
【技術分野】
【０００１】
本発明は、表示映像における特定の波長の強度を調整する表示制御装置等に関する。
【背景技術】
【０００２】
近年、照明装置は白熱灯及び蛍光灯から消費電力の少ないＬＥＤへの置き換えが進んでいる。また、小型化及び省エネを実現することができることから、特許文献１〜４に記載されているようなテレビ及び携帯端末等の表示装置のバックライトにもＬＥＤが広く使用されるようになってきている。
【０００３】
一方で、ＬＥＤは他の光源に比べて青色の波長の光が強く、その光は目の疲れ及び生体リズムの乱れ等の問題を引き起こすことが報告されている。このような問題を防ぐため、表示映像において、青色等の特定の波長の強度を調整する装置が開発されている。
【０００４】
例えば、特許文献５には、表示部に表示される画像を制御する画像表示装置において、時間情報に基づいて、覚醒の効果を得たいときには青の強度を相対的に強くし、沈静の効果を得たいときには青の強度を相対的に弱くする色合い制御部を備えることで生体リズムを調整することを特徴とする画像表示制御装置が記載されている。
【０００５】
また、特許文献６には、覚醒光を照射する照明部と、アラーム部と、制御部と、演算部と、各種設定を可能とするインタフェース部と、時計部と、睡眠者の体動を検出する体動検出部とを備えている覚醒システムが記載されている。
【先行技術文献】
【特許文献】
【０００６】
【特許文献１】特開２００５−１１７１８０号公報（２００５年４月２８日公開）
【特許文献２】特開２００９−３８８３８号公報（２００９年２月１９日公開）
【特許文献３】特開２０１０−５６８７９号公報（２０１０年３月１１日公開）
【特許文献４】特開２０１１−１７６８９３号公報（２０１１年９月８日公開）
【特許文献５】特開２００５−３０９３６０号公報（２００５年１１月４日公開）
【特許文献６】特開２０１１−２７６２２号公報（２０１１年２月１０日公開）
【発明の概要】
【発明が解決しようとする課題】
【０００７】
ところで、表示装置のユーザの渡航先が時差のある地域である場合、渡航に伴い、ユーザの生体リズムが変化する。
【０００８】
しかし、上述のような従来技術では、ユーザが時差のある渡航先に渡航したり、当該渡航先から帰ってきたりした場合には、ユーザの生体リズムを好適に調整することができない。
【０００９】
本発明は、上述の問題点に鑑みてなされたものであり、その目的は、ユーザが時差のある渡航先に渡航したり、当該渡航先から帰ってきたりする場合であっても、ユーザの生体リズムを好適に調整することにある。
【課題を解決するための手段】
【００１０】
上記の課題を解決するために、本発明の一態様に係る表示制御装置は、表示部に表示させる表示映像における特定の波長の強度を、対象時間帯において調整する表示制御部と、上記対象時間帯を、調整対象時差及び日数を参照して、段階的に変更する対象時間帯変更部とを備えている。
【００１１】
また、本発明の一態様に係る表示制御方法は、表示部に表示させる表示映像における特定の波長の強度を調整する対象時間帯を、調整対象時差及び日数を参照して変更する対象時間帯変更工程と、上記対象時間帯変更工程にて変更した対象時間帯において、表示部に表示させる表示映像における特定の波長の強度を調整する表示制御工程とを含んでいる。
【発明の効果】
【００１２】
本発明の一態様によれば、ユーザが時差のある渡航先に渡航したり、当該渡航先から帰ってきたりする場合であっても、ユーザの生体リズムを好適に調整することができる。
【図面の簡単な説明】
【００１３】
【図１】本発明の実施形態１に係るテレビの構成を示すブロック図である。
【図２】本発明の実施形態１に係るテレビの外観を示す図である。
【図３】本発明の実施形態１に係るテレビが表示する表示映像において、青色の波長の強度が強い対象時間帯を示す図である。
【図４】本発明の実施形態１に係るテレビにおける対象時間帯変更部が段階的に変更する対象時間帯を説明する図である。
【図５】本発明の実施形態１に係る表示制御方法を説明するフローチャートである。
【図６】本発明の実施形態２に係るテレビの構成を示すブロック図である。
【図７】本発明の実施形態２に係るテレビにおける対象時間帯変更部が段階的に変更する対象時間帯を説明する図である。
【図８】本発明の実施形態２に係る表示制御方法を説明するフローチャートである。
【図９】本発明の実施形態３に係るテレビの構成を示すブロック図である。
【図１０】本発明の実施形態３に係るテレビにおける表示部に表示される入力画面を示す図である。
【図１１】本発明の実施形態３に係る表示制御方法を説明するフローチャートである。
【発明を実施するための形態】
【００１４】
以下、本発明の実施形態について、詳細に説明する。ただし、以下の実施形態に記載されている構成は、特に特定的な記載がない限り、この発明の範囲をそれのみに限定する趣旨ではなく、単なる説明例に過ぎない。
【００１５】
＜実施形態１＞
〔テレビ１〕
本発明の実施形態１に係るテレビ（表示装置）１について、図１〜５を参照して説明する。
【００１６】
図１は、本実施形態に係るテレビ１の構成を示すブロック図である。図２は、テレビ１の外観を示す正面図である。テレビ１は、放送局から送信された映像信号を受信して、表示部１０に映像を表示する。
【００１７】
図１に示すように、テレビ１は、表示部１０、表示制御装置１１及び操作部１２を備えている。
【００１８】
〔表示部１０〕
表示部１０は、後述の表示制御部１１０からの指示に従い、映像を表示する。表示部１０は、ＬＣＤ、ＥＬ（Electroluminescence）ディスプレイ及びＰＤＰ（Plasma Display Panel）等の表示素子と、受信した映像信号に基づいて表示素子を駆動するドライバ回路とを備える構成である。
【００１９】
〔表示制御装置１１〕
表示制御装置１１は、表示部１０に表示させる表示映像を制御するものである。
【００２０】
図１に示すように、表示制御装置１１は、表示制御部１１０、外部情報取得部１１１及び映像信号取得部１１２を備えている。
【００２１】
なお、外部情報取得部１１１及び映像信号取得部１１２は、表示制御装置１１としては必須の構成ではなく、テレビ１が、表示制御装置１１の外部に、外部情報取得部１１１及び映像信号取得部１１２を備える構成としてもよい。
【００２２】
また、上述の例では、表示制御装置１１は、テレビ１に備えられているが、本実施形態ではこれに限定されない。例えば、表示制御装置１１は、レコーダ、プレーヤ、及び、ＳＴＢ（Set Top Box）等に備えることもできる。
【００２３】
［表示制御部１１０］
表示制御部１１０は、表示部１０に表示させる表示映像における特定の波長の強度を、対象時間帯において調整するものである。
【００２４】
より具体的には、表示制御部１１０は、表示部１０に表示させる表示映像における青色の波長の強度を、対象時間帯において強くするように調整する。すなわち、ここでは、対象時間帯とは、青色の波長の強度が強い時間帯のことを意味する。表示制御部１１０は、調整した映像データを表示部１０に送信する。
【００２５】
ここで、図１に示すように、表示制御部１１０は、対象時間帯を変更する対象時間帯変更部１１００を備えている。対象時間帯変更部１１００は対象時間帯を変更し、表示制御部１１０は表示映像における青色の波長の強度を対象時間帯において変更する。
【００２６】
これにより、表示制御部１１０は、ユーザが時差のある渡航先に渡航したり、当該渡航先から帰ってきたりした場合であっても、好適な対象時間帯において表示映像における青色の波長の強度を調整することができる。その結果、表示制御部１１０を備える表示制御装置１１は、ユーザが時差のある渡航先に渡航したり、渡航先から帰ってきたりした場合であっても、ユーザの生体リズムを好適に調整することができる。
【００２７】
なお、上述の例では、表示制御部１１０は、青色の波長の強度を対象時間帯において調整しているが、本実施形態ではこれに限定されない。本実施形態では、青色以外の波長の強度を調整してもよい。表示制御部１１０が、青色以外の波長の強度を調整する場合であっても、例えば、段階的な調光変化及び段階的な調光変化等を施すことによって、ユーザの生体リズムを調整することができる。
【００２８】
また、表示制御部１１０は、外部情報取得部１１１から外部情報を取得し、時間、場所及び天候等に応じて、映像信号取得部１１２から受信した映像データの色度及び明るさを変更することによって、ユーザの生体リズム調整をする構成としてもよい。
【００２９】
（対象時間帯変更部１１００）
対象時間帯変更部１１００は、対象時間帯を、調整対象時差及び渡航前時差調整日数を参照して、段階的に変更する。
【００３０】
なお、調整対象時差、及び、渡航前時差調整日数の情報は、ユーザが操作部１２を介して入力することによって得られる。
【００３１】
また、上述の渡航前時差調整日数とは、例えば、ユーザが渡航先に渡航した場合に時差ボケを軽減することができる標準的な日数のことを指す。
【００３２】
以下に、対象時間帯変更部１１００が、日本からパリ等の渡航先に渡航する前に、調整対象時差及び渡航前時差調整日数を参照して対象時間帯を変更する例について図３及び図４を用いて説明する。
【００３３】
まず、日本基準の対象時間帯、及び、パリ基準の対象時間帯について図３の（ａ）及び（ｂ）を用いて説明する。
【００３４】
図３の（ａ）は、日本基準の対象時間帯を示す図である。図３の（ａ）に示すように、表示制御部１１０は、変更前の日本基準の対象時間帯を、昼間にテレビを視聴する場合を想定した時間帯（６時〜１８時）に設定している。すなわち、図３の（ａ）では、６時〜１８時の間、表示部１０に表示される表示映像における青色の波長の強度が強くなっており、他の時間においては、青色の波長の強度が弱くなっている。
【００３５】
図３の（ｂ）は、パリ基準の対象時間帯を示す図である。図３の（ｂ）に示すように、対象時間帯変更部１１００は、対象時間帯が渡航先のパリ基準で６時〜１８時となるように対象時間帯を変更する。
【００３６】
ただし、パリは日本に比べて８時間遅れていることから、対象時間帯変更部１１００は、図３の（ａ）の横軸の時間の値を８ずつ引いたとき、６時〜１８時となるように対象時間帯を変更する。すなわち、実際には、対象時間帯変更部１１００は、パリ基準の対象時間帯を、日本基準の対象時間帯に換算すると、図４の（ｄ）に示すように、１４時〜２時となるように変更する。
【００３７】
このように、表示制御部１１０は、表示映像において、自然光の強度が強い時間帯と同じ時間帯（例えば、６時〜１８時）に青色の波長の強度が強くなるように、対象時間帯を設定する。また、対象時間帯変更部１１００は、対象時間帯がパリ基準で６時〜１８時となるように対象時間帯を変更する。
【００３８】
このように、表示制御部１１０及び対象時間帯変更部１１００を備えた表示制御装置１１は、ユーザの渡航前に、予めパリ基準の対象時間帯となるように変更し、青色の波長の強度を強くする。これにより、表示制御装置１１は、ユーザの渡航前に、予め、渡航先のパリにおいて、ユーザの生体リズム（サーカディアンリズム）が自然になるように調整することができる。その結果、ユーザは、パリに渡航した場合であっても、渡航先のパリでの時差ボケを軽減することができる。
【００３９】
なお、本実施形態では、日本基準の対象時間帯の情報を、例えば、テレビ１の初期設定の際に、操作部１２を介して表示制御部１１０に入力することができる。これにより、表示制御部１１０は、操作部１２から入力された渡航前時差調整日数及び調整対象時差を参照することにより、渡航先での対象時間帯を算出することができる。その結果、対象時間帯変更部１１００は、渡航先基準の対象時間帯となるように対象時間帯を変更することができる。
【００４０】
また、上述の例では、表示制御部１１０は、各国基準の６時〜１８時に青色の波長の強度が強くなるように、対象時間帯変更部１１００によって対象時間帯を変更している。ただし、表示制御部１１０は、ユーザの生体リズムに合わせて、任意の時間帯に対象時間帯を設定することができる。
【００４１】
また、上述の例では、渡航前時差調整日数の情報を、ユーザが操作部１２を介して入力しているが、本実施形態ではこれに限定されない。本実施形態では、表示制御部１１０は、渡航前時差調整日数を調整対象時差に応じて自動的に設定してもよい。
【００４２】
例えば、表示制御部１１０は、調整対象時差が１〜２時間であれば渡航前時差調整日数を１日に設定してもよい。また、表示制御部１１０は、調整対象時差が３〜４時間であれば渡航前時差調整日数を２日に設定し、調整対象時差が５〜６時間であれば渡航前時差調整日数を３日に設定してもよい。このように、表示制御部１１０は、調整対象時差と正の相関を有するように渡航前時差調整日数を自動的に設定してもよい。
【００４３】
（対象時間帯の変更方法）
次に、対象時間帯変更部１１００が、調整対象時差及び渡航前時差調整日数を参照して、対象時間帯を段階的に変更する対象時間帯の変更方法の一例を、図４を用いて具体的に説明する。
【００４４】
図４の（ａ）〜（ｄ）は、対象時間帯変更部１１００が１日目〜４日目の各日において変更した対象時間帯を説明する図である。図４の（ａ）は、１日分（２時間）、対象時間帯を後ろにずらしたときの図である。同様に、図４の（ｂ）〜（ｄ）は、日本基準の対象時間帯から、それぞれ２日分、３日分、４日分、対象時間帯を後ろにずらしたときの図である。
【００４５】
上述のように、対象時間帯変更部１１００は、１日につき、２時間ずつ対象時間帯を後ろにずらし、４日間で対象時間帯を日本とパリとの時差である８時間分後ろにずらしている。すなわち、対象時間帯変更部１１００は、１日につき、渡航先のパリと、日本との調整対象時差８時間分を、渡航前時差調整日数４日で除算して得られる時間分である２時間分だけ対象時間帯を変更している。
【００４６】
このように、対象時間帯変更部１１００は、一度ではなく、毎日、一定の時間分少しずつ対象時間帯をずらし、表示制御部１１０は、青色等の特定の波長の強度を調整する。これにより、外国等の時差のある渡航先に行く前に、予めユーザの生体リズムを渡航先の生体リズムに合うように調整することができる。その結果、ユーザが時差のある渡航先に行って表示映像を見たとしても、ユーザの時差ボケを軽減することができる。
【００４７】
なお、上述の例では、対象時間帯変更部１１００は、１日につき、対象時間帯を、調整対象時差を渡航前時差調整日数で除算して得られる時間分変更しているが、本実施形態ではこれに限定されない。本実施形態では、対象時間帯変更部１１００は、対象時間帯を、調整対象時差及び渡航前時差調整日数を参照して、段階的に変更すればよい。
【００４８】
例えば、調整対象時差が８時間で、渡航前時差調整日数が４日だとした場合、対象時間帯変更部１１００は、１日目に３時間分、２日目に２時間分、３日目に１時間分、４日目に２時間分、対象時間帯を変更し、４日の合計で８時間後ろにずらすようにしてもよい。
【００４９】
また、上述の例では、対象時間帯変更部１１００が表示制御部１１０の内部に格納されており、表示制御部１１０が対象時間帯変更部１１００としても機能する形態について説明している。ただし、本実施形態ではこれに限定されない。表示制御部１１０及び対象時間帯変更部１１００の各々が、上述した機能を発揮することができ、表示制御装置１１内にあれば、対象時間帯変更部１１００は、表示制御部１１０の外部に備えられていてもよい。
【００５０】
（外部情報取得部１１１）
外部情報取得部１１１は、テレビ１が備えているセンサ（図示せず）及びインターネット等から外部情報（例えば、時間、場所及び天候）を取得し、表示制御部１１０に送信する。
【００５１】
（映像信号取得部１１２）
映像信号取得部１１２は、放送局等の放送の映像信号を取得し、表示制御部１１０に送信する。
【００５２】
〔操作部１２〕
操作部１２は、ユーザによる入力操作を受け付けるものであり、例えば、リモコン等を挙げることができる。特に、本実施形態においては、操作部１２は、渡航先、現在地と渡航先との時差（調整対象時差）、及び、渡航前時差調整日数の情報の入力操作を受け付ける。
【００５３】
〔表示制御方法〕
本実施形態に係るテレビ１により実行される表示制御方法の流れを、図５を参照して説明する。図５は、表示制御方法の流れを示すフローチャートである。
【００５４】
本実施形態に係るテレビ１は、以下に説明するステップＳ１０１〜Ｓ１０３を実行することによって、表示制御処理を行う。
【００５５】
ステップＳ１０１：まず、表示制御部１１０は、操作部１２を介して、渡航先、調整対象時差、及び渡航前時差調整日数の情報を取得する。
【００５６】
ステップＳ１０２（対象時間帯変更工程）：次に、表示制御部１１０は、対象時間帯変更部１１００によって、表示部１０に表示させる表示映像における特定の波長の強度を調整する対象時間帯を、調整対象時差及び渡航前時差調整日数を参照して変更する。これにより、日本基準の対象時間帯から渡航先基準の対象時間帯へと対象時間帯が段階的に変更される。
【００５７】
ステップＳ１０３（表示制御工程）：表示制御部１１０は、対象時間帯変更工程にて変更した対象時間帯において、表示部１０に表示させる表示映像における青色の波長の強度を強くする。
【００５８】
ステップＳ１０４：表示制御部１１０は、渡航前時差調整日数に達したか否かを判定する。渡航前時差調整日数に達した場合（ステップＳ１０４のＹＥＳ）、ステップＳ１０５に進む。渡航前時差調整日数に達していない場合（ステップＳ１０４のＮＯ）、ステップＳ１０２に戻り、ステップＳ１０２〜Ｓ１０４を繰り返す。
【００５９】
ステップＳ１０５：渡航前時差調整日数に達したと表示制御部１１０が判断した場合、表示制御部１１０は、表示制御処理を終了する。
【００６０】
＜実施形態２＞
実施形態１では、表示制御装置１１の対象時間帯変更部１１００は、日本から渡航先に渡航する前に、予め対象時間帯を変更している。ただし、実施形態２のように、表示制御装置１３は、対象時間帯変更部１１００の有する機能の代わりに、又は、対象時間帯変更部１１００の有する機能に加えて、対象時間帯変更部１３００によって、渡航先から帰国した後に、対象時間帯を変更してもよい。
【００６１】
実施形態２について、図６〜８を参照して説明する。なお、説明の便宜上、実施形態１にて説明した部材と同じ機能を有する部材については、同じ符号を付記し、その説明を省略する。
【００６２】
〔テレビ２〕
図６は、本実施形態に係るテレビ２の要部構成を示すブロック図である。図６に示すように、本実施形態に係るテレビ２は、表示制御装置１１の代わりに、表示制御装置１３を備えている。また、表示制御装置１３は、表示制御部１１０の代わりに、表示制御部１３０を備えている。この点以外は、表示制御装置１３は、表示制御装置１１と同様の構成である。
【００６３】
〔表示制御装置１３〕
図６に示すように、表示制御装置１３における表示制御部１３０は、対象時間帯変更部１３００を備えている。
【００６４】
対象時間帯変更部１３００は、対象時間帯変更部１１００の有する機能の代わりに、又は、対象時間帯変更部１１００の有する機能に加えて、パリ等の渡航先から帰国した後に、対象時間帯を段階的に変更する。
【００６５】
以下、対象時間帯変更部１３００が有する機能のうち、パリ等の渡航先から帰国した後に、対象時間帯を段階的に変更する機能について説明する。
【００６６】
ここで、渡航先から帰国した後であって変更前の対象時間帯は、図３の（ｂ）に示すように、パリ基準の対象時間帯で６時〜１８時（日本基準の対象時間帯で１４時〜２時）となっている。当該パリ基準の対象時間帯は、表示制御部１３０内に保存されている日本基準の対象時間帯と、操作部１２から入力される調整対象時差との情報に基づき、表示制御部１３０によって算出することができる。対象時間帯変更部１３００は、図３の（ａ）に示すように、日本基準の対象時間帯となるように、対象時間帯を段階的に変更する。
【００６７】
以下、対象時間帯変更部１３００が、調整対象時差及び帰国後時差調整日数を参照して、対象時間帯を段階的に変更する対象時間帯の変更方法の一例を、図７を用いて具体的に説明する。
【００６８】
図７の（ａ）〜（ｄ）は、対象時間帯変更部１３００が１日目〜４日目の各日において変更した対象時間帯を説明する図である。図７の（ａ）は、パリから帰ってきた後、パリ基準の対象時間帯から１日分（２時間）、対象時間帯を前にずらしたときの図である。同様に、図７の（ｂ）〜（ｄ）は、それぞれ、パリから帰ってきた後、パリ基準の対象時間帯から２日分、３日分、４日分、対象時間帯を前にずらしたときの図である。
【００６９】
上述のように、対象時間帯変更部１３００は、１日につき、２時間ずつ対象時間帯を前にずらし、４日間で対象時間帯を日本とパリとの時差である８時間分前にずらしている。すなわち、対象時間帯変更部１３００は、１日につき、渡航先のパリと、日本との調整対象時差８時間分を、帰国後時差調整日数４日で除算して得られる時間分である２時間分だけ対象時間帯を変更している。
【００７０】
ここで、上述の帰国後時差調整日数とは、例えば、ユーザが渡航先から帰国した場合に時差ボケ解消にかける標準的な日数のことを指す。
【００７１】
このように、対象時間帯変更部１３００は、一度でなく、毎日一定の時間分少しずつ対象時間帯をずらしている。これにより、ユーザが外国等の時差のある渡航先から日本に帰ってきた場合であっても、ユーザの生体リズムの変化に合わせながら表示映像における特定の波長の強度を調整することができる。その結果、ユーザが時差のある渡航先から日本に帰ってきて表示映像を視聴したとしても、ユーザの時差ボケを軽減することができる。
【００７２】
なお、上述の例では、帰国後時差調整日数の情報を、ユーザが操作部１２を介して入力しているが、本実施形態ではこれに限定されない。本実施形態では、表示制御部１１０は、帰国後時差調整日数を調整対象時差に応じて自動的に設定してもよい。
【００７３】
例えば、表示制御部１３０は、調整対象時差が１〜２時間であれば帰国後時差調整日数を１日に設定してもよい。また、表示制御部１３０は、調整対象時差が３〜４時間であれば帰国後時差調整日数を２日に設定し、調整対象時差が５〜６時間であれば帰国後時差調整日数を３日に設定してもよい。このように、表示制御部１３０は、調整対象時差と正の相関を有するように帰国後時差調整日数を自動的に設定してもよい。
【００７４】
〔表示制御方法〕
本実施形態に係るテレビ２により実行される、渡航先から帰国した後における表示制御方法の流れを、図８を参照して説明する。図８は、表示制御方法の流れを示すフローチャートである。
【００７５】
本実施形態に係るテレビ２は、以下に説明するステップＳ２０１〜Ｓ２０５を実行することによって、表示制御処理を行う。
【００７６】
図８におけるステップＳ２０３及びＳ２０５は、図５におけるステップＳ１０３及びＳ１０５と同様であるため、ここではその説明を省略する。
【００７７】
ステップＳ２０１：表示制御部１３０は、操作部１２を介して、渡航先、調整対象時差及び帰国後時差調整日数の情報を取得する。
【００７８】
ステップＳ２０２（対象時間帯変更工程）：次に、表示制御部１３０は、対象時間帯変更部１３００によって、表示部１０に表示させる表示映像における特定の波長の強度を調整する対象時間帯を、調整対象時差及び帰国後時差調整日数を参照して変更する。これにより、渡航先基準の対象時間帯から日本基準の対象時間帯へと対象時間帯が段階的に変更される。
【００７９】
ステップＳ２０４：表示制御部１３０は、帰国後時差調整日数に達したか否かを判定する。帰国後時差調整日数に達した場合（ステップＳ２０４のＹＥＳ）、ステップＳ２０５に進む。帰国後時差調整日数に達していない場合（ステップＳ２０４のＮＯ）、ステップＳ２０２に戻り、ステップＳ２０２〜Ｓ２０４を繰り返す。
【００８０】
＜実施形態３＞
実施形態１及び２では、表示制御装置１１及び１３の表示制御部１１０及び１３０は、操作部１２を介して渡航先及び日数の情報を取得している。ただし、実施形態３のように、表示制御装置１４の表示制御部１４０は、操作部１２の代わりに、表示部１５における入力画面１５０を介して渡航先及び日数の情報を取得してもよい。
【００８１】
実施形態３について、図９〜１１を参照して説明する。なお、説明の便宜上、上述の実施形態にて説明した部材と同じ機能を有する部材については、同じ符号を付記し、その説明を省略する。
【００８２】
〔テレビ３〕
図９は、本実施形態に係るテレビ３の要部構成を示すブロック図である。図９に示すように、本実施形態に係るテレビ３は、操作部１２がない代わりに、表示部１５が入力画面１５０をさらに備えている。また、表示制御部１４０は、当該入力画面１５０の入力結果に応じて、表示映像における青色の波長の強度を、対象時間帯において強くする。この点以外は、テレビ３は、実施形態１に係るテレビ１及び実施形態２に係るテレビ２と同様の構成である。
【００８３】
〔表示制御装置１４〕
図９に示すように、表示制御装置１４は、表示制御部１４０、外部情報取得部１１１、及び、映像信号取得部１１２を備えている。
【００８４】
表示制御部１４０は、入力画面１５０を表示部１５に表示させ、入力画面１５０を介して入力された渡航先を参照して調整対象時差を算出する。これにより、ユーザによる直接調整対象時差の入力を省略することができる。そのため、表示制御装置１４は、より効率的に表示制御処理を行うことができる。
【００８５】
〔表示部１５〕
表示部１５は、渡航先に関するユーザ入力を受け付ける入力画面１５０を表示する。入力画面１５０について、図１０を用いて説明する。図１０の（ａ）は、ユーザによる入力前の入力画面１５０を示しており、図１０の（ｂ）は、ユーザによる渡航先に関する情報を入力後の入力画面１５０を示している。入力画面１５０は、ユーザの指又はペン等により、情報の入力が可能なタッチパネルとなっている。
【００８６】
図１０の（ａ）に示すように、表示部１５は、渡航予定であるか、帰国後であるかを選択する「○」ボタンがある入力画面１５０を表示する。ユーザは、渡航予定又は帰国後の「○」ボタンをタッチして選択することができる。
【００８７】
以下、ユーザが渡航予定の「○」ボタンを選択した場合における入力画面１５０への入力方法について具体的に説明する。
【００８８】
（入力画面１５０への入力方法）
まず、ユーザは、渡航予定の「○」ボタンを選択した後、渡航先を空欄に入力する。例えば、表示部１５は、ユーザが渡航先の空欄をタッチすると、入力画面１５０にパソコンのキーボードのような画面を表示するようになっていてもよい。これにより、ユーザは、入力画面１５０上のキーボードをタッチして直接渡航先を入力することができる。
【００８９】
また、表示部１５は、ユーザが渡航先の空欄にタッチした場合、例えば、世界各国のリスト等を入力画面１５０に表示するようになっていてもよい。これにより、ユーザは、世界各国のリストから、渡航先をタッチして選択することができる。
【００９０】
このようにして、ユーザが渡航先を決定した場合、表示制御部１４０は、渡航先と現在地との調整対象時差を算出し、当該調整対象時差を入力画面１５０に表示させる。例えば、図１０の（ｂ）に示すように、渡航先をパリに選択し、現在地が日本であった場合、表示制御部１４０は、調整対象時差、−８時間を算出し、入力画面１５０に表示させる。
【００９１】
ユーザが渡航先を選択した後、入力画面１５０は、時差ボケを軽減するための日数（渡航前時差調整日数）のユーザ入力を受け付ける。ユーザは、図１０の（ｂ）に示すように、渡航先及び時差ボケを軽減するための日数を入力した後、入力画面１５０の右上に表示された「ＯＫ」ボタンをタッチする。
【００９２】
これにより、表示制御部１４０は、対象時間帯変更部１４００によって、入力画面１５０に入力された渡航先、調整対象時差、及び、時差ボケを軽減するための日数（渡航前時差調整日数）を参照させ、対象時間帯を段階的に変更する。また、表示制御部１４０は、変更された対象時間帯に応じて、青色の波長の強度を強くする。
【００９３】
このように、入力画面１５０は、渡航先及び日数のユーザ入力を受け付けることができる。そのため、表示制御部１４０は、入力画面１５０を介して、より効率的に渡航先及び日数の情報を取得することができる。これにより、表示制御部１４０は、より効率的に、青色等の特定の波長の強度を対象時間帯において強くすることができる。
【００９４】
なお、ユーザが帰国後の「○」ボタンを選択した場合でも、ユーザが渡航予定の「○」ボタンを選択した場合と同様に表示制御処理を行うことができるため、説明を省略する。
【００９５】
また、上述の例では、表示制御部１４０は、入力画面１５０を介して入力された渡航先を参照して調整対象時差を算出しているが、本実施形態ではこれに限定されない。
【００９６】
本実施形態では、ユーザが入力画面１５０に直接調整対象時差を入力するようにしてもよい。また、表示部１５は、例えば、現在地と渡航先との時差を記した世界地図の画面を入力画面１５０に表示してもよい。これにより、ユーザが入力画面１５０に表示された世界地図のうちのある国をタッチして選択したとき、図１０の（ｂ）に示す入力画面１５０のように渡航先と調整対象時差とが一度に表示される。
【００９７】
いずれの場合であっても、表示部１５が入力画面１５０を表示することで、ユーザにとっても、自身が入力した渡航先、調整対象時差、及び、日数を確認しやすくしつつ、効率的に表示制御処理を行うことができる。
【００９８】
また、上述の例では、入力画面１５０は、時差ボケを軽減するための日数及び時差ボケ解消にかける日数のユーザ入力を受け付けているが、本実施形態ではこれに限定されない。本実施形態では、表示制御部１４０は、時差ボケを軽減するための日数（渡航前時差調整日数）及び時差ボケ解消にかける日数（帰国後時差調整日数）を調整対象時差に応じて自動的に設定してもよい。すなわち、表示部１５は、入力画面１５０に、時差ボケを軽減するための日数及び時差ボケ解消にかける日数の空欄を表示しなくてもよい。
【００９９】
また、入力画面１５０は、渡航予定の欄に渡航予定日、及び、帰国後の欄に帰国予定日のユーザ入力をさらに受け付けてもよい。この場合、表示制御部１４０は、渡航予定日までの間、又は、帰国予定日から、対象時間帯を自動的且つ段階的に変更しながら、青色の波長の強度を強くなるようにしてもよい。これにより、ユーザは入力画面１５０を介して表示制御処理を行う日程を予約することができる。そのため、表示制御装置１４は、より効率的に表示制御処理を行うことができる。
【０１００】
〔表示制御方法〕
次に、本実施形態に係るテレビ３により実行される表示制御方法の流れを、図１１を用いて説明する。図１１は、表示制御方法の流れを示すフローチャートである。
【０１０１】
図１１におけるステップＳ３０４〜Ｓ３０７は、図５におけるステップＳ１０２〜Ｓ１０５又は図８におけるステップＳ２０２〜Ｓ２０５と同様であるため、ここではその説明を省略する。
【０１０２】
ステップＳ３０１：表示部１５は、渡航予定であるか、帰国後であるかどうか選択する「○」ボタンがある入力画面１５０を表示する。表示部１５は、ユーザに、渡航予定又は帰国後の「○」ボタンをタッチさせ、選択させる。
【０１０３】
ユーザが渡航予定の「○」ボタンを選択した場合（ステップＳ３０１の渡航予定）、ステップＳ３０２に進む。ユーザが帰国後の「○」ボタンを選択した場合（ステップＳ３０１の帰国後）、ステップＳ３０３に進む。
【０１０４】
ステップＳ３０２：表示部１５は、ユーザに渡航先及び時差ボケを軽減するための日数（渡航前時差調整日数）を入力画面１５０に入力させる。表示制御部１４０は、入力画面１５０を介して、渡航先及び渡航前時差調整日数の情報を取得する。また、表示制御部１４０は、入力画面１５０に入力された渡航先を参照して調整対象時差を算出する。
【０１０５】
ステップＳ３０３：表示部１５は、ユーザに渡航先及び時差ボケ解消にかける日数（帰国後時差調整日数）を入力画面１５０に入力させる。表示制御部１４０は、入力画面１５０を介して、渡航先及び帰国後時差調整日数の情報を取得する。また、表示制御部１４０は、入力画面１５０に入力された渡航先を参照して調整対象時差を算出する。
【０１０６】
〔ソフトウェアによる実現例〕
表示制御装置１１、１３及び１４の制御ブロック（特に表示制御部１１０、１３０及び１４０）は、集積回路（ＩＣチップ）等に形成された論理回路（ハードウェア）によって実現してもよいし、ＣＰＵ（Central Processing Unit）を用いてソフトウェアによって実現してもよい。
【０１０７】
後者の場合、表示制御装置１１、１３及び１４は、各機能を実現するソフトウェアであるプログラムの命令を実行するＣＰＵ、上記プログラム及び各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明の一態様は、上記プログラムが電子的な伝送によって具現化された、搬送波に埋め込まれたデータ信号の形態でも実現され得る。
【０１０８】
〔まとめ〕
本発明の態様１に係る表示制御装置（１１、１３、１４）は、表示部（１０、１５）に表示させる表示映像における特定の波長の強度を、対象時間帯において調整する表示制御部（１１０、１３０、１４０）と、上記対象時間帯を、調整対象時差及び日数を参照して、段階的に変更する対象時間帯変更部（１１００、１３００、１４００）とを備えている。
【０１０９】
上記の構成によれば、対象時間帯変更部（１１００、１３００、１４００）が対象時間帯を調整対象時差及び日数を参照して、段階的に変更する。これにより、表示制御部（１１０、１３０、１４０）は、時差のある渡航先に渡航したり、渡航先から帰ってきたりした場合であっても、好適な対象時間帯において表示映像における青色の波長の強度を調整することができる。その結果、表示制御部（１１０、１３０、１４０）を備える表示制御装置（１１、１３、１４）は、時差のある渡航先に渡航したり、渡航先から帰ってきたりした場合であっても、生体リズムを好適に調整することができる。
【０１１０】
本発明の態様２に係る表示制御装置（１１、１３、１４）では、上記態様１において、上記対象時間帯変更部（１１００、１３００、１４００）は、１日につき、上記対象時間帯を、上記調整対象時差を上記日数で除算して得られる時間分変更してもよい。
【０１１１】
上記の構成によれば、対象時間帯変更部（１１００、１３００、１４００）は、一度ではなく、毎日一定の時間分少しずつ対象時間帯をずらす。これにより、ユーザが外国等の時差のある渡航先に行ったり、当該渡航先から帰ってきたりする場合であっても、ユーザの生体リズムの変化に合わせながら表示映像における青色等の特定の波長の強度を調整することができる。その結果、ユーザが時差のある渡航先で表示映像を見たとしても、ユーザの時差ボケを軽減することができる。
【０１１２】
本発明の態様３に係る表示制御装置（１４）では、上記態様１又は２において、上記表示制御部（１４０）は、渡航先に関するユーザ入力を受け付ける入力画面（１５０）を表示部（１５）に表示させ、上記入力画面（１５０）を介して入力された渡航先を参照して上記調整対象時差を算出してもよい。
【０１１３】
上記の構成によれば、入力画面（１５０）は、渡航先を入力画面（１５０）のユーザ入力を受け付けることができる。そのため、表示制御部（１４０）は、入力画面（１５０）を介して、より効率的に渡航先の情報を取得することができる。また、表示制御部（１４０）は、入力画面（１５０）を介して入力された渡航先を参照して調整対象時差を算出する。そのため、ユーザによる調整対象時差の入力を省略することができる。これらにより、表示制御部（１４０）は、より効率的に、特定の波長の強度を対象時間帯において調整することができる。
【０１１４】
本発明の態様４に係る表示制御装置（１４）では、上記態様３において、上記入力画面（１５０）は、上記表示制御装置（１４）が参照する上記日数に関するユーザ入力を更に受け付けてもよい。
【０１１５】
上記の構成によれば、入力画面（１５０）が日数に関するユーザ入力を受け付けることで、表示制御部（１４０）は、入力画面（１５０）を介して、より効率的に日数の情報を取得することができる。これにより、表示制御部（１４０）は、より効率的に、特定の波長の強度を対象時間帯において調整することができる。
【０１１６】
本発明の態様５に係る表示装置（テレビ１、２、３）は、上記態様１から４の何れか１つの態様における表示制御装置（１１、１３、１４）と、表示部（１０、１５）とを備えている。
【０１１７】
上記の構成によれば、上記態様１の表示制御装置（１１、１３、１４）と同様の効果を奏することができる。
【０１１８】
本発明の態様６に関わる表示制御方法は、表示部（１０、１５）に表示させる表示映像における特定の波長の強度を調整する対象時間帯を、調整対象時差及び日数を参照して変更する対象時間帯変更工程と、上記対象時間帯変更工程にて変更した対象時間帯において、表示部（１０、１５）に表示させる表示映像における特定の波長の強度を調整する表示制御工程とを含んでいる。
【０１１９】
上記の構成によれば、上記態様１の表示制御装置（１１、１３、１４）と同様の効果を奏することができる。
【０１２０】
本発明の各態様に係る表示制御装置（１１、１３、１４）は、コンピュータによって実現してもよく、この場合には、コンピュータを上記表示制御装置（１１、１３、１４）が備える各部（ソフトウェア要素）として動作させることにより上記表示制御装置（１１、１３、１４）をコンピュータにて実現させる表示制御装置（１１、１３、１４）のプログラム、及びそれを記録したコンピュータ読み取り可能な記録媒体も、本発明の範疇に入る。
【０１２１】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【０１２２】
１、２、３  テレビ
１０、１５  表示部
１１、１３、１４  表示制御装置
１２  操作部
１１０、１３０、１４０  表示制御部
１１１  外部情報取得部
１１２  映像信号取得部
１５０  入力画面
１１００、１３００、１４００  対象時間帯変更部
【図１】
2018148309.tif 000003
【図２】
2018148309.tif 000004
【図３】
2018148309.tif 000005
【図４】
2018148309.tif 000006
【図５】
2018148309.tif 000007
【図６】
2018148309.tif 000008
【図７】
2018148309.tif 000009
【図８】
2018148309.tif 000010
【図９】
2018148309.tif 000011
【図１０】
2018148309.tif 000012
【図１１】
2018148309.tif 000013
【手続補正書】
【提出日】平成30年5月21日(2018.5.21)
【手続補正１】
【補正対象書類名】特許請求の範囲
【補正対象項目名】全文
【補正方法】変更
【補正の内容】
【特許請求の範囲】
【請求項１】
表示部に表示させる表示映像における特定の波長の強度を、対象時間帯において調整する表示制御部と、
上記対象時間帯を、現在地と渡航先との時差である調整対象時差及び日数を参照して、段階的に変更する対象時間帯変更部と
を備え、
上記表示制御部は、
上記調整対象時差を記した世界地図を含む入力画面であって、（１）上記渡航先に関するユーザ入力、及び、（２）時差ボケを軽減するための上記日数である渡航前時差調整日数のユーザ入力を受け付ける入力画面と、
上記入力画面を介して入力された渡航先と、
上記現在地と上記入力された渡航先との時差である調整対象時差と
を表示部に表示させる、
ことを特徴とする表示制御装置。
【請求項２】
上記対象時間帯変更部は、１日につき、上記対象時間帯を、上記調整対象時差を上記日数で除算して得られる時間分変更することを特徴とする請求項１に記載の表示制御装置。
【請求項３】
請求項１又は２に記載の表示制御装置と
表示部と
を備えていることを特徴とする表示装置。
【請求項４】
表示部に表示させる表示映像における特定の波長の強度を調整する対象時間帯を、現在地と渡航先との時差である調整対象時差及び日数を参照して変更する対象時間帯変更工程と、
上記対象時間帯変更工程にて変更した対象時間帯において、表示部に表示させる表示映像における特定の波長の強度を調整する表示制御工程と
を含み、
上記表示制御工程では、
上記調整対象時差を記した世界地図を含む入力画面であって、（１）上記渡航先に関するユーザ入力、及び、（２）時差ボケを軽減するための上記日数である渡航前時差調整日数のユーザ入力を受け付ける入力画面と、
上記入力画面を介して入力された渡航先と、
上記現在地と上記入力された渡航先との時差である調整対象時差と
を表示部に表示させる、
ことを特徴とする表示制御方法。